(57)【要約】【課題】  接続端子部をゴミや埃等から保護する。【解決手段】  表示部１１と、前記表示部１１と同一面に設けられ、外部装置が接続される接続端子部１２とを備える時計本体１０と、前記接続端子部１２を覆うスライド移動可能なカバー部材１６とを備える構成とした。【選択図】      図１
2005331304.tif 000002
【特許請求の範囲】
【請求項１】
表示部と、前記表示部と同一面内に設けられ、外部装置が接続される接続端子部と、前記接続端子部を覆うスライド移動可能なカバー部材とを具備することを特徴とする電子機器。
【請求項２】
前記カバー部材は、前記接続端子部を覆う位置から前記表示部を覆う位置に向けてスライド移動して前記接続端子部を露出させることを特徴とする請求項１に記載の電子機器。
【請求項３】
前記表示部が設けられた機器本体の両側に配置され、前記カバー部材をスライド移動可能に保持する一対のガイド部材を有し、前記ガイド部材は、前記表示部及び前記接続端子部が設けられた前記機器本体の表面よりも突出することを特徴とする請求項１または２に記載の電子機器。
【請求項４】
前記一対のガイド部材には、互いに対向する面内にスライド溝が形成され、
前記カバー部材は、前記スライド溝に保持されて前記機器本体の面上をスライド移動することを特徴とする請求項３に記載の電子機器。
【請求項５】
前記一対のガイド部材は、前記機器本体と別体に構成されていることを特徴とする請求項４に記載の電子機器。
【請求項６】
前記スライド溝には、前記接続端子部を覆う位置に前記カバー部材を係止する第１係止部と、前記接続端子部を露出させる位置に前記カバー部材を係止する第２係止部とが形成されていることを特徴とする請求項４または５に記載の電子機器。
【請求項７】
前記カバー部材の裏面には、前記接続端子部への水の浸入を防止する防水部材が設けられていることを特徴とする請求項１乃至６のいずれかに記載の電子機器。
【請求項８】
時刻を表示する表示部と、前記表示部と同一面内に設けら、外部装置が接続される接続端子部と、前記接続端子部を覆うスライド移動可能なカバー部材とを具備することを特徴とする時計。
【発明の詳細な説明】
【技術分野】
【０００１】
本発明は、時計表示部を有する電子機器及び時計に関する。
【背景技術】
【０００２】
従来から、電子機器にあっては、外部装置を接続するための接続端子部を備え、当該外部装置との間でデータを送受するように構成されたものが知られている。例えば、この種の電子機器として、装着者の脈拍数などを測定する腕装着型脈波計測装置（いわゆるパルスグラフ）がある（例えば、特許文献１参照）。
【特許文献１】特開平９−１０１８３号公報
【発明の開示】
【発明が解決しようとする課題】
【０００３】
しかしながら、上記接続端子部にゴミや埃等が入り込むと、端子間の接触不良などが発生するといった問題がある。
本発明は、上述した事情に鑑みてなされたものであり、外部装置との接続端子部をゴミや埃等から保護することができる電子機器及び時計を提供することを目的とする。
【課題を解決するための手段】
【０００４】
上記目的を達成するために、本発明は、表示部と、前記表示部と同一面内に設けられ、外部装置が接続される接続端子部と、前記接続端子部を覆うスライド移動可能なカバー部材とを具備することを特徴とする電子機器を提供する。
この発明によれば、表示部と同一面内に設けられた接続端子部を覆うカバー部材を設ける構成としたため、当該接続端子部をゴミや埃等から保護することができる。
なお、前記カバー部材は、前記接続端子部を覆う位置から前記表示部を覆う位置に向けてスライド移動して前記接続端子部を露出させる構成が望ましい。
【０００５】
また、上記発明において、前記表示部が設けられた機器本体の両側に配置され、前記カバー部材をスライド移動可能に保持する一対のガイド部材を有し、前記ガイド部材は、前記表示部及び前記接続端子部が設けられた前記機器本体の表面よりも突出する構成とするのが好ましい。この構成により、機器本体の上面及びカバー部材への傷付きを防止することができる。
【０００６】
また、上記発明において、前記一対のガイド部材には、互いに対向する面内にスライド溝が形成され、前記カバー部材は、前記スライド溝に保持されて前記機器本体の面上をスライド移動する構成も好ましい。この構成によれば、カバー部材がガイド部材により挟持されるため、ガイド部材の外側面が摺擦されたとしても当該カバー部材がスライド移動することがない。なお、前記一対のガイド部材を前記機器本体と別体に構成することで、上記スライド溝の形成が容易となる。
【０００７】
また、前記スライド溝には、前記接続端子部を覆う位置に前記カバー部材を係止する第１係止部と、前記接続端子部を露出させた位置に前記カバー部材を係止する第２係止部とが形成された構成が好ましい。
さらにまた、前記カバー部材の裏面には、前記接続端子部への水の浸入を防止する防水部材が設けられている構成も好ましい。
なお、本発明は、表示部に時刻を表示する時計として実施することが可能である。
【発明の効果】
【０００８】
本発明によれば、外部装置との接続端子部をゴミや埃等から保護することができる。
【発明を実施するための最良の形態】
【０００９】
以下図面を参照して、本発明の実施の形態について説明する。以下の実施の形態では、電子機器の一態様たる腕時計に本発明を適用した場合について説明する。
図１は本実施の形態に係る腕時計１の外観構成を示す斜視図であり、図２は腕時計１の上面図である。また、図３は図２に示す腕時計１をＩ−Ｉ’線からみた断面図であり、図４は腕時計１の分解斜視図である。なお、図２及び図３では、時計本体１０の構成を示すべく、後述するカバー部材１６の図示を省略している。
これらの図に示すように、腕時計１は、略矩形に形成された時計本体１０を備え、当該時計本体１０の上面Ａには表示部１１が設けられている。表示部１１は、その表示面（上面）がガラス等により保護されたＬＣＤや有機ＥＬディスプレイ等により構成され、時刻や日付などを表示する時刻表示部として機能すると共に、当該時刻の他にも、各種情報を表示可能に構成されている。
【００１０】
時計本体１０は、ステンレスやチタン、真鍮等の金属材料或いはプラスチック等の樹脂材から形成され、時刻を計時する計時回路や表示部１１を駆動するための駆動回路の他、ＭＰＵ等の演算ユニットといった各種の電子回路を内蔵している。例えば、当該腕時計１がＧＰＳ（Global Positioning System）信号に基づいて時刻を修正する時計として構成される場合には、時計本端１０は、ＧＰＳ信号を受信するためのアンテナや受信回路等の電子回路を内蔵する。なお、本実施の形態では、腕時計の一例として、時刻をデジタル表示する時計について例示するが、指針により時刻を表示するアナログ時計でも良い。この場合には、指針や文字板等の時刻表示のための構成要素が上記表示部１１に設けられ、また、指針を駆動するためのムーブメント等が時計本体１０に内蔵される。
【００１１】
図２に示すように、時計本体１０の上面Ａ、すなわち、表示部１１と同一面内には、パーソナルコンピュータやＰＤＡ等の外部装置が接続されるための接続端子部１２が設けられている。この接続端子部１２は、上記表示部１１の上方に凹設され、上記外部装置と接続される図示せぬ接続ケーブルの一端が挿着され、当該接続ケーブルを介して外部装置（例えばパーソナルコンピュータ等）と腕時計１との間でデータの送受が可能となる。
また、時計本体１０の左右両側には、図１及び図２に示すように、一対のガイド部材１３が螺子１４により固定されている。これらのガイド部材１３は、時計本体１０よりも縦方向（図１に矢印Ｙ、Ｚで示す）に延び出る長さに形成され、この延び出た部分には、ピン孔１５が穿孔されている。これらのピン孔１５には、図示せぬ連結ピン（或いはバネ棒）が挿入され、当該連結ピンに、図示せぬ時計バンドが連結される。
【００１２】
ところで、時計本体１０の上面Ａに凹設された接続端子部１２には、何ら対策を施さなければ、埃やゴミなどが入り込んでしまい、接続ケーブルの接触不良の原因となる恐れがある。そこで、本実施の形態では、図１に示すように、腕時計１に上面視略矩形の板状のカバー部材１６を設け、当該カバー部材１６にて接続端子部１２を覆う構成としている。カバー部材１６の取り付け構造について詳述すると、図１乃至図４に示すように、ガイド部材１３が、時計本体１０に取り付けられたときに、当該時計本体１０の上面Ａよりも上方（図１に矢印Ｘで示す）に突出するように形成されている。この突出した部分のうち、一対のガイド部材１３が対向する内面側には、時計本体１０の上面に沿って延びるスライド溝１７が刻設され、当該スライド溝１７にカバー部材１６の両縁が嵌め込まれることで、カバー部材１６が時計本体１０の上面Ａに沿ってスライド移動可能に一対のガイド部材１３に保持される。
【００１３】
上記スライド溝１７には、図３に示すように、当該スライド溝１７の上縁の一部を凹ませてなる係止凹部１８が設けられていると共に、カバー部材１６の上面には当該係止凹部１８に係合する係止凸部１９が形成されおり、当該係止凸部１９が係止凹部１８に係止される。また、図５及び図６に示すように、カバー部材１６の裏面には板ばね２０が設けられ、この板ばね２０により、カバー部材１６がスライド溝１７内で常に上方に付勢されることになる。従って、係止凹部１８に係止凸部１９が位置した際に、これらが互いに係合し、カバー部材１６のスライド移動が規制されることとなる。
【００１４】
一方、カバー部材１６をスライド移動させる場合には、係止凹部１８と係止凸部１９との係合を解くように、当該カバー部材１６の上面を押下することで、カバー部材１６がスライド移動可能となる。すなわち、カバー部材１６のスライド移動には、当該カバー部材１６の押下が必要となるため、ユーザの意に反して、当該カバー部材１６がスライド移動してしまうのを防止することができる。また、一対のガイド部材１３に挟持されるように、上記カバー部材１６が腕時計１に取り付けられて、当該カバー部材１６がガイド部材１３の外側面側に露出しない構成としているため、ガイド部材１３の外側面が腕などに摺擦されたとしても当該カバー部材１６がスライド移動することがない。さらに、ガイド部材１３が時計本体１０の上面Ａ及びカバー部材１６の上面よりも突出した高さに形成されているため、これら時計本体１０の上面Ａ及びカバー部材１６に直接物などが当たりにくくなり傷が付きにくくなる。また、図４に示すように、ガイド部材１３は、時計本体１０と別体に構成されているため、上記スライド溝１７を形成するのが容易となる。
【００１５】
図３及び図４に示すように、本実施の形態では、スライド溝１７には２つの係止凹部１８が設けられている。すなわち、カバー部材１６が接続端子部１２を覆う位置に当該カバー部材１６を位置決め固定するための第１係止凹部１８ａと、当該カバー部材１６をガイド溝１７に沿ってスライド移動させた後に、上記接続端子部１２を露出させた状態（図７参照）でカバー部材１６を位置決め固定するための第２係止凹部１８ｂとである。すなわち、カバー部材１６を、図１に示すように接続端子部１２を覆う位置、及び、図７に示すように、当該接続端子部１２を露出させた位置の２つの位置のいずれかで位置決め固定可能となっている。従って、接続端子部１２に接続ケーブル等を挿着した状態においては、カバー部材１６が当該接続端子部１２を露出させた位置に係止されてスライド移動が規制され、カバー部材１６が不意に移動してしまうのが防止されることとなる。
【００１６】
また、図６に示すように、本実施の形態では、カバー部材１６の裏面、すなわち、時計本体１０の上面Ａと対向する面には、防水用のシール部材２１が貼着されており、カバー部材１６が接続端子部１２を覆っている状態においては、当該接続端子部１２へ水が浸入するのが防止される。また、このシール部材２１には、表示部１１を囲む程度の大きさのものが用いられ、カバー部材１６が表示部１１を覆っている状態においては、当該表示部１１の防水も可能となっている。
【００１７】
以上説明したように、本実施の形態によれば、表示部１１と同一面内に設けられた接続端子部１２を覆うカバー部材１６を設ける構成としたため、当該接続端子部１２をゴミや埃等から保護することができる。
また、本実施の形態によれば、カバー部材１６は、接続端子部１２を覆う位置から表示部１１を覆う位置に向けてスライド移動可能に構成されているため、その開閉操作が容易となる。
【００１８】
さらにまた、本実施の形態によれば、時計本体１０の両側に、カバー部材１６をスライド移動可能に保持する一対のガイド部材１３を配置すると共に、このガイド部材１３が、表示部１１及び接続端子部１２が設けられた時計本体１０の上面Ａよりも突出する形状になされているため、時計本体１０の上面Ａ及びカバー部材１６に傷が付きにくくなる。
また、本実施の形態によれば、一対のガイド部材１３には、互いに対向する面内にスライド溝１７が形成され、カバー部材１６は、このスライド溝１７に保持されて時計本体１０の上面Ａの上をスライド移動する構成、すなわち、カバー部材１６がガイド部材１３により挟持される構成としたため、ガイド部材１３の外側面が摺擦されたとしても当該カバー部材１６がスライド移動することがない。
【００１９】
また、本実施の形態によれば、一対のガイド部材１３は、時計本体１０と別体に構成されているため、当該ガイド部材１３の内側面に上記スライド溝１７を容易に形成することができる。
さらに、本実施の形態によれば、カバー部材１６の裏面には、シールパッキン２１が貼着されているため、上記接続端子部１２への水の浸入を防止することができる。
また、カバー部材１６により接続端子部１２が覆い隠すことができ、見ばえを向上させることができる。
【００２０】
なお、上述した実施の形態は、あくまでも本発明の一態様を示すものであり、本発明の範囲内で任意に変形及び応用が可能である。例えば、上述した実施の形態では、電子機器の一例として腕時計１を例示したが、これに限らず、表示部１１と同一面内に接続端子部１２が設けられた電子機器であれば、任意のものに本発明を適用することが可能である。この種の電子機器としては、例えば、携帯電話機やＰＤＡ等があり、また、腕時計のようにしてユーザに装着され脈拍数等の生体情報を計測するパルスグラフ等がある。
【００２１】
図８は本発明が適用されたパルスグラフの一態様を示す模式的に示す図である。なお、この図において、上述した実施の形態と同一の構成部材については、それと同じ符号を付し、その説明を省略する。この図に示すように、パルスグラフ５０は、パルスグラフ本体５１と、当該パルスグラフ本体５１をユーザの腕等に巻き付けるバンド５２とを備えている。パルスグラフ本体５１の上面には、時刻や生体情報（脈拍数など）を表示する表示部１１及び上述した接続端子部１２が設けられ、また、パルスグラフ本体５１の両側面には、上述した実施の形態と同様に、一対のガイド部材１３が取付固定され、このガイド部材１３に、カバー部材１６がスライド移動可能に取付られている。
【００２２】
また、パルスグラフ５０は、生体組織に光を照射して中酸素飽和度などの生体信号を検出するセンサユニット５３と、当該センサユニット５３を人差し指の根元から指関節までの間に配置するセンサ用固定バンド５４とを備えている。センサユニット５３からは、信号ケーブル５５が引き出され、当該信号ケーブル５５の先端には、コネクタ５６が接続されている。コネクタ５６は、上記接続端子部１２と嵌合して、センサユニット５３により検出された生体信号をパルスグラフ本体５０に入力するものである。
【００２３】
かかる構成の下、生体測定を行う際には、カバー部材１６を表示部１１側にスライド移動させて接続端子部１２を露出させ、当該接続端子部１２にコネクタ５６を取り付ける。そして、センサユニット５３を指に装着することで、当該センサユニット５３にて検出された生体信号がパルスグラフ本体５０に入力され、当該生体信号に基づいて表示部１１に脈拍数等の生体情報が表示されることとなる。なお、本変形例では、カバー部材１６が表示部１１の上面を覆ったときに表示部１１が視認できなくなってしまうのを回避するために、カバー部材１６は、透明部材から形成されている。
生体測定終了後は、コネクタ５６を接続端子部１２から取り外し、当該接続端子部１２を覆う位置にカバー部材１６をスライド移動させることで、表示部１１が露出され、一般的な腕時計として使用可能となる。
【図面の簡単な説明】
【００２４】
【図１】本発明の実施の形態に係る腕時計の外観構成を示す斜視図である。
【図２】腕時計の上面図である。
【図３】図２のＩ−Ｉ’線からみた腕時計の断面図である。
【図４】腕時計の分解斜視図である。
【図５】カバー部材の側面図である。
【図６】カバー部材の背面図である。
【図７】腕時計の斜視図である。
【図８】本発明の変形例に係るパルスグラフを模式的に示す斜視図である。
【符号の説明】
【００２５】
１…腕時計、１０…時計本体、１１…表示部、１２…接続端子部、１３…ガイド部材、１６…カバー部材、１７…スライド溝、２１…シール部材、５０…パルスグラフ。
【図１】
2005331304.tif 000003
【図２】
2005331304.tif 000004
【図３】
2005331304.tif 000005
【図４】
2005331304.tif 000006
【図５】
2005331304.tif 000007
【図６】
2005331304.tif 000008
【図７】
2005331304.tif 000009
【図８】
2005331304.tif 000010